(57)【要約】【課題】ハウジングの端子収容室に収容されるものにあって、防食施工時間、コストの低減となり、且つ、容易に耐腐食性を向上させることができる電線付き端子等を提供する。【解決手段】電線付き端子１０は、コネクタハウジング４０の端子収容室４１に収容される電線付き端子１０であって、相手端子に接続される相手端子接続部１１と、電線Ｗの端部が接続された電線接続部１５と、電線接続部１５の相手端子接続部１１とは反対側に設けられ、電線Ｗが貫通して電線Ｗの端部を電線接続部１５に導く電線貫通孔３１を有し、端子収容室４１の端子挿入側を塞ぐ遮蔽壁３０とを備えている。【選択図】図１
2020095840.tif 000002
【特許請求の範囲】
【請求項１】
ハウジングの端子収容室に収容される電線付き端子であって、
相手端子に接続される相手端子接続部と、
電線の端部が接続された電線接続部と、
前記電線接続部の前記相手端子接続部とは反対側に設けられ、前記電線が貫通して前記電線の端部を前記電線接続部に導く電線貫通孔を有し、前記端子収容室の端子挿入側を塞ぐ遮蔽壁とを備えたことを特徴とする電線付き端子。
【請求項２】
請求項１記載の電線付き端子であって、
前記電線貫通孔の内周面は、電線挿入側から前記電線接続部側に向かって徐々に縮径するテーパ面に形成されていることを特徴とする電線付き端子。
【請求項３】
請求項１又は請求項２記載の電線付き端子であって、
前記遮蔽壁の外周面は、電線挿入側から前記電線接続部側に向かって徐々に内側に傾斜するテーパ面に形成されていることを特徴とする電線付き端子。
【請求項４】
端子収容室を有するハウジングと、前記端子収容室に収容され、前記端子収容室の端子挿入側の開口より電線が外部に引き出される電線付き端子とを備えたコネクタであって、
前記電線付き端子は、相手端子に接続される相手端子接続部と、
前記電線の端部が接続された電線接続部と、
前記電線接続部の前記相手端子接続部とは反対側に設けられ、前記電線が貫通して前記電線の端部を前記電線接続部に導く電線貫通孔を有し、前記端子収容室の端子挿入側を塞ぐ遮蔽壁とを備えていることを特徴とするコネクタ。
【発明の詳細な説明】
【技術分野】
【０００１】
本発明は、ハウジングの端子収容室に収容される電線付き端子、及び、電線付き端子が収容されるコネクタに関する。
【背景技術】
【０００２】
図１３に示すように、電線付き端子６０は、相手端子に接続される相手端子接続部６１と、電線Ｗの端部が接続された電線接続部６２とを備えている。電線Ｗの端部は、絶縁外皮２が除去されて芯線１が外部に露出され、露出された芯線１の部位と絶縁外皮２で被覆された部位が電線接続部６２に圧着される。電線付き端子６０の電線接続部６２と電線Ｗの芯線１との電線接続箇所には、腐食が発生する虞れがある。
【０００３】
特に、電線Ｗがアルミ材で形成され、電線付き端子６０が銅材で形成される場合には、電線接続箇所に水、塩が付着するとガルバニック腐食が発生する虞れが懸念される。そのため、従来では、図１４に示すように、電線接続箇所を防食剤７０で覆うことが行われている（特許文献１参照）。
【先行技術文献】
【特許文献】
【０００４】
【特許文献１】特開２０１６−１３９５７３号公報
【発明の概要】
【発明が解決しようとする課題】
【０００５】
しかしながら、前記従来例では、電線付き端子６０に電線Ｗを圧着接続する工程の後に、防食施工を行う必要があるため、防食施工時間が掛かる。又、防食材の使用等によってコストも高くなる。
【０００６】
このような実情に鑑みて、図１３に示すように、コネクタハウジング７１の端子収容室７２に収容される電線付き端子６０において、耐腐食性が低くても、防食施工時間、コストの低減を図ることができる簡便な防食構造が要望されている。
【０００７】
そこで、本発明は、前記した課題を解決すべくなされたものであり、ハウジングの端子収容室に収容されるものにあって、防食施工時間、コストの低減となり、且つ、容易に耐腐食性を向上させることができる電線付き端子、及び、コネクタを提供することを目的とする。
【課題を解決するための手段】
【０００８】
本発明の電線付き端子は、ハウジングの端子収容室に収容される電線付き端子であって、相手端子に接続される相手端子接続部と、電線の端部が接続された電線接続部と、前記電線接続部の前記相手端子接続部とは反対側に設けられ、前記電線が貫通して前記電線の端部を前記電線接続部に導く電線貫通孔を有し、前記端子収容室の端子挿入側を塞ぐ遮蔽壁とを備えたことを特徴とする。
【０００９】
本発明のコネクタは、端子収容室を有するハウジングと、前記端子収容室に収容され、前記端子収容室の端子挿入側の開口より電線が外部に引き出される電線付き端子とを備えたコネクタであって、前記電線付き端子は、相手端子に接続される相手端子接続部と、前記電線の端部が接続された電線接続部と、前記電線接続部の前記相手端子接続部とは反対側に設けられ、前記電線が貫通して前記電線の端部を前記電線接続部に導く電線貫通孔を有し、前記端子収容室の端子挿入側を塞ぐ遮蔽壁とを備えていることを特徴とする。
【発明の効果】
【００１０】
本発明によれば、電線付き端子の遮蔽壁によって端子収容室への水（塩水、塩を含んだ空気）の浸入を防止できるため、容易に耐腐食性が向上する。電線付き端子には、電線貫通孔を有する遮蔽壁を設け、電線付き端子の製造では、電線を電線貫通孔に貫通させる作業を追加するだけで良いため、防食施工時間、コストの低減となる。
【図面の簡単な説明】
【００１１】
【図１】本発明の一実施形態を示し、（ａ）は電線付き端子が端子収容室に収容された状態及びその収容過程を示す斜視図、（ｂ）は（ａ）のｄ−ｄ線断面図である。
【図２】本発明の一実施形態を示し、（ａ）は電線を接続する前の電線付き端子の斜視図、（ｂ）は電線を接続した電線付き端子の斜視図である。
【図３】本発明の一実施形態を示し、（ａ）は電線付き端子のプレス（折り曲げ）加工前の平面図（展開図）、（ｂ）はその側面図、（ｃ）は電線付き端子のプレス（折り曲げ）加工後の平面図（展開図）、（ｄ）はその側面図である。
【図４】本発明の一実施形態のプレス（折り曲げ）加工形状の変形例を示し、（ａ）は電線付き端子のプレス（折り曲げ）加工前の平面図（展開図）、（ｂ）はその側面図、（ｃ）は電線付き端子のプレス（折り曲げ）加工後の平面図（展開図）、（ｄ）はその側面図である。
【図５】本発明の一実施形態の電線貫通孔の変形例を示し、（ａ）は遮蔽壁の後面図及び側面図、（ｂ）は電線貫通孔の内周面がストレート面である場合の電線挿入過程を示す図、（ｃ）は電線貫通孔の内周面がテーパ面にある場合の電線挿入過程を示す図である。
【図６】本発明の一実施形態の遮蔽壁の外周面の変形例を示し、（ａ）は遮蔽壁の後面図及び側面図、（ｂ）は遮蔽壁の外周面がストレート面である場合の端子挿入過程を示す図、（ｃ）は遮蔽壁の外周面がテーパ面にある場合の端子挿入過程を示す図である。
【図７】（ａ）は遮蔽壁が端子収容室の端子挿入側の開口よりも奥位置に収容された状態を示す図、（ｂ）は遮蔽壁が端子収容室の端子挿入側の開口より一部外部に突出する位置に収容された状態を示す図である。
【図８】本発明の一実施形態を示し、電線の外周面と遮蔽壁の電線貫通孔の内周面との間、及び、遮蔽壁の外周面と端子収容室の内周面との間に隙間がある状態を示すコネクタハウジングの要部断面図である。
【図９】本発明の一実施形態の隙間封止の変形例を示し、（ａ）は電線の外周に封止剤を付着した状態を示す図、（ｂ）は遮蔽壁の電線貫通孔の内周面に封止剤を付着した状態を示す後面図及び断面図である。
【図１０】本発明の一実施形態の隙間封止の変形例を示し、（ａ）は遮蔽壁の外周面に封止剤を付着した状態を示す断面図、（ｂ）は端子収容室の内周面に封止剤を付着した状態を示す断面図である。
【図１１】本発明の一実施形態を示し、（ａ）はスタビライザーによって連結されたプレス成形前の電線付き端子の平面図、（ｂ）はスタビライザーによって連結されたプレス成形後の電線付き端子の平面図である。
【図１２】本発明の一実施形態のスタビライザーの連結箇所の変形例を示し、（ａ）はスタビライザーによって連結されたプレス成形前の電線付き端子の平面図、（ｂ）はスタビライザーによって連結されたプレス成形後の電線付き端子の平面図である。
【図１３】本発明の従来例を示し、（ａ）は電線付き端子が端子収容室に収容された状態及びその収容過程を示す斜視図、（ｂ）は（ａ）のｅ−ｅ線断面図である。
【図１４】本発明の他の従来例を示し、電線付き端子の要部断面図である。
【発明を実施するための形態】
【００１２】
以下、本発明の一実施形態を図面に基づいて説明する。
【００１３】
図１に示すように、コネクタＡは、絶縁性材のコネクタハウジング（ハウジング）４０と、コネクタハウジング４０に形成された複数の端子収容室４１を有する。この各端子収容室４１に電線付き端子１０が収容される。収容された電線付き端子１０は、コネクタハウジング４０のランス（図示せず）によって位置決めされている。電線付き端子１０には、電線Ｗの端部が接続されている。電線Ｗは、端子収容室４１の端子挿入側の開口より外部に引き出されている。以下、電線付き端子１０の詳細を説明する。
【００１４】
図２に示すように、電線Ｗは、複数の素線からなる芯線（導体）１と芯線１の外周を覆う絶縁外皮２とから構成されている。電線Ｗの端部は、絶縁外皮２が除去されて芯線１が露出されている。芯線１は、アルミニウム製又はアルミニウム合金製（以下、アルミ製）の多数の素線からなり、多数の素線が互いに撚られている。つまり、電線Ｗは、アルミ電線である。
【００１５】
図２に示すように、電線付き端子１０は、銅合金製等の導電性材より形成されている。電線付き端子１０は、相手端子との接続を行う相手端子接続部１１と、電線Ｗに圧着する電線接続部１５と、相手端子接続部１１と電線圧着部１５間を連結する連結部２０と、電線接続部１５の相手端子接続部１１とは反対側に設けられた遮蔽壁３０とを備えている。
【００１６】
相手端子接続部１１は、メス端子形状である。相手端子接続部１１は、四角枠形状を有し、内部に弾性ばね接点部１２が設けられている。相手端子であるオス端子（図示せず）が四角枠形状内に挿入され、挿入されたオス端子が弾性ばね接点部１２にばね力によって接触される。
【００１７】
電線付き端子１０は、電線接続部１５の底面部１５ａに載置された電線Ｗの芯線１を一対の芯線加締め部１７の加締め変形によって圧着し、底面部１５ａに載置された電線Ｗの絶縁外皮２の箇所を一対の外皮加締め部１８の加締め変形によって圧着することによって電線Ｗに圧着固定している。
【００１８】
遮蔽壁３０は、電線接続部１５の底面部１５ａより延設された部位が垂直方向に立設されている。遮蔽壁３０は、電線貫通孔３１を有する。電線貫通孔３１を電線Ｗが貫通して電線Ｗの端部が電線接続部１５に導かれている。
【００１９】
遮蔽壁３０は、コネクタハウジング４０の端子収容室（キャビティ）４１の開口形状と同一の四角形である。遮蔽壁３０の４つの外周面は、電線挿入側から電線接続部１５側に向かってストレート面に形成されている。遮蔽壁３０の寸法は、コネクタハウジング４０の端子収容室４１の四角形の寸法より少しだけ小さい寸法の四角形に形成されている。これにより、遮蔽壁３０は、図１に示すように、端子収容室４１に挿入可能であり、挿入状態では極力隙間なく端子収容室４１内に収容される。
【００２０】
電線貫通孔３１は、電線Ｗの断面外径と同様に円形である。電線貫通孔３１の内周面は、電線挿入側から電線接続部１５側に向かってストレート面に形成されている。電線貫通孔３１の孔寸法は、電線Ｗの外径寸法より少しだけ小さい寸法に形成されている。これにより、電線貫通孔３１には、電線Ｗが貫通可能であり、貫通状態では極力隙間なく電線貫通孔３１内に収容される。
【００２１】
電線付き端子１０は、図３（ａ）、（ｂ）に示す所定形状に裁断したプレートを、図３（ｃ）、（ｄ）に示すようにプレス（折り曲げ）加工することによって一体形成されている。図３（ａ）、（ｂ）では、遮蔽壁３０は、電線接続部１５の底面部１５ａより延設された部位によって形成されている。変形例としては、図４（ａ）、（ｂ））に示すように、一対の外皮加締め部１８より延設された部位によって遮蔽壁３０を形成しても良い。
【００２２】
以上説明したように、コネクタハウジング４０の端子収容室４１に収容される電線付き端子１０は、相手端子に接続される相手端子接続部１１と、電線Ｗの端部が接続された電線接続部１５と、電線接続部１５の相手端子接続部１１とは反対側に設けられ、電線Ｗが貫通して電線Ｗの端部を電線接続部１５に導く電線貫通孔３１を有し、端子収容室４１の端子挿入側の開口を塞ぐ遮蔽壁３０とを備えている。従って、電線付き端子１０の遮蔽壁３０によって端子収容室４１への水（塩水、塩を含んだ空気）の浸入を防止できるため、容易に耐腐食性が向上する。電線付き端子１０には、電線貫通孔３１を有する遮蔽壁３０を設け、電線付き端子１０の製造では、電線Ｗを電線貫通孔３１に貫通させる作業を追加するだけで良いため、防食施工時間、コストの低減となる。
【００２３】
次に、電線付き端子１０の遮蔽壁３０の電線貫通孔３１の変形例について説明する。図５（ａ）に示すように、変形例の電線貫通孔３１の内周面は、電線挿入側から電線接続部１５側に向かって徐々に縮径するテーパ面３１ａに形成されている。テーパ面３１ａの電線挿入側の径は、電線Ｗの外径より十分に大きく、テーパ面３１ａの電線接続部１５側の径は、電線Ｗの外径よりほんの少しだけ大きく形成されている。
【００２４】
前記実施形態では、電線貫通孔３１の内周面が電線挿入側から電線接続部１５側に向かってストレートであるため、図５（ｂ）に示すように、電線Ｗの中心軸と電線貫通孔３１の中心が少しでもずれると電線Ｗが電線貫通孔３１に挿入できない。これに対し、変形例では、図５（ｃ）に示すように、電線Ｗの中心軸と電線貫通孔３１の中心が多少ずれても電線Ｗが電線貫通孔３１に挿入されるため、挿入作業性が良い。
【００２５】
次に、電線付き端子１０の遮蔽壁３０の外周面形状の変形例について説明する。図６（ａ）に示すように、変形例の遮蔽壁３０の４つの外周面は、電線挿入側から電線接続部１５側に向かって徐々に内側に傾斜するテーパ面３０ａに形成されている。テーパ面３０ａの電線挿入側の径は、端子収容室４１の開口寸法よりほんの少しだけ大きく、テーパ面３０ａの電線接続部１５側の径は、端子収容室４１の開口寸法より十分に小さく形成されている。
【００２６】
前記実施形態では、遮蔽壁３０の外周面が電線挿入側から電線接続部１５側に向かってストレートであるため、図６（ｂ）に示すように、遮蔽壁３０の中心位置と端子収容室４１の中心位置が少しでもずれると遮蔽壁３０が端子収容室４１に挿入できない。これに対し、変形例では、図６（ｃ）に示すように、遮蔽壁３０の中心位置と端子収容室４１の中心位置が多少ずれてもテーパ面３０ａにガイドされつつ遮蔽壁３０が端子収容室４１に挿入されるため、挿入作業性が良い。尚、図６（ａ）、（ｃ）では、遮蔽壁３０の電線貫通孔３１は、テーパ面３１ａに形成されている。
【００２７】
図７（ａ）に示すように、遮蔽壁３０の端子収容室４１での収容位置は、端子収容室４１の端子挿入側の開口よりも奥位置（内部位置）である。この収容位置では、導電性材より形成された遮蔽壁３０がコネクタハウジング４０の内側に位置するため、導電材の部位がコネクタハウジング４０より突出せず短絡事故防止等の点で好ましい。図７（ｂ）に示すように、遮蔽壁３０の端子収容室４１の収容位置は、端子収容室４１の端子挿入側の開口よりも一部外部に突出する位置である。この収容位置では、遮蔽壁３０が端子収容室４１の内周縁部に密着して端子収容室４１を密閉するため、耐腐食性の点で好ましい。尚、この場合には、遮蔽壁３０の寸法を端子収容室４１の寸法より少しだけ大きく形成する。
【００２８】
図８に示すように、電線付き端子１０をコネクタハウジング４０の端子収容室４１に収容した状態では、電線Ｗの外周面と遮蔽壁３０の電線貫通孔３１の内周面との間、及び、遮蔽壁３０の外周面と端子収容室４１の内周面との間に隙間ｄ１，ｄ２が発生する。
【００２９】
図９（ａ）、（ｂ）に示すように、電線Ｗの外周面及び／又は電線貫通孔３１の内周面に発泡材やゴム材等の封止材３５を装着することによって隙間ｄ１を埋めれば、耐腐食性が向上する。
【００３０】
図１０（ａ）、（ｂ）に示すように、遮蔽壁３０の外周面及び／又は端子収容室４１の内周面に発泡材やゴム材等の封止材３５を装着することによって隙間ｄ２を埋めれば、耐腐食性が向上する。
【００３１】
電線付き端子１０は、スタビライザー５０によって連結された状態で通常では加工される。図１１（ａ）、（ｂ）は、本発明の一実施形態に係る電線付き端子１０である。図１１（ａ）に示すように、スタビライザー５０は、所定形状に裁断されたプレートの遮蔽壁３０に相当する部位に連結されている。図１１（ｂ）に示すように、スタビライザーによって連結された状態でプレス加工される。
【００３２】
図１２（ａ）、（ｂ）は、本発明の一実施形態の変形例に係る電線付き端子１０である。図１２（ａ）、（ｂ）に示すように、スタビライザー５０は、所定形状に裁断されたプレートの電線接続部１５の底面部１５ａに相当する部位に連結されている。図１２（ｂ）に示すように、スタビライザー５０によって連結された状態でプレス加工される。
【符号の説明】
【００３３】
Ａ  コネクタ
Ｗ  電線
１０  電線付き端子
１１  相手端子接続部
１５  電線接続部
３０  遮蔽壁
３０ａ  テーパ面
３１  電線貫通孔
３１ａ  テーパ面
４０  コネクタハウジング（ハウジング）
４１  端子収容室
【図１】
2020095840.tif 000003
【図２】
2020095840.tif 000004
【図３】
2020095840.tif 000005
【図４】
2020095840.tif 000006
【図５】
2020095840.tif 000007
【図６】
2020095840.tif 000008
【図７】
2020095840.tif 000009
【図８】
2020095840.tif 000010
【図９】
2020095840.tif 000011
【図１０】
2020095840.tif 000012
【図１１】
2020095840.tif 000013
【図１２】
2020095840.tif 000014
【図１３】
2020095840.tif 000015
【図１４】
2020095840.tif 000016